(57)【特許請求の範囲】
【請求項１】
映像信号を出力する複数の映像信号出力装置と、端末装置から送出されるリクエストを取得する対端末通信手段と、該リクエストに応じて動作させる前記映像信号出力装置を指定する指定手段と、前記映像信号を送出する送出手段とを備える映像提供センタにおいて、
前記映像信号出力装置を監視して故障が検出されると故障信号を出力する故障検出手段と、
管理者によって操作可能に設けられ、前記故障信号検出手段に擬似的な前記故障信号の出力を指示する疑似信号指示手段と
を設けると共に、
前記指定手段は、前記故障信号に基づいて故障していない前記映像信号出力装置を認識し、それら故障していない前記映像信号出力装置のいずれかを指定する構成である
ことを特徴とする映像提供センタ。
【請求項２】
請求項１記載の映像提供センタにおいて、
前記疑似信号指示手段はスイッチによって構成されていることを特徴とする映像提供センタ。
【請求項３】
請求項１または２記載の映像提供センタにおいて、
前記故障検出手段は、前記映像信号出力装置からの映像信号の出力が所定時間以上途絶していることをもって故障の検出とすることを特徴とする映像提供センタ。
【請求項４】
請求項１ないし３のいずれか記載の映像提供センタにおいて、
予め設定された信号取得条件が成立する毎に前記指定手段に前記故障信号の取得を指示する信号取得指示手段を設けたことを特徴とする映像提供センタ。
【発明の詳細な説明】
【０００１】
【発明の属する技術分野】
本発明は、映像信号を出力する複数の映像信号出力装置、端末装置から送出されるリクエストを取得する対端末通信手段およびリクエストに応じて動作させる映像信号出力装置を指定する指定手段を備える映像提供センタに関する。
【０００２】
【従来の技術】
従来、ビデオデッキやビデオゲームプレーヤ（ゲーム機）等の映像信号出力装置を複数備える映像提供センタと、例えばホテル等の客室に設置される端末装置とからなり、利用者が端末装置のリモコン等を使用してリクエストを入力すると、映像提供センタが、この端末装置からのリクエストを取得し、例えばビデオデッキでリクエストに対応するビデオテープを再生し、その映像信号を端末装置に送信して、これを端末装置で受信してモニタテレビ等で出力する映像提供システムがあり、リクエストサービスシステム等とも呼ばれている。
【０００３】
【発明が解決しようとする課題】
しかしながら、従来の映像提供センタは各映像信号出力装置の故障を検出するための構成を欠いているために、例えば利用者からのクレームによってはじめて故障が判るようなこともあった。
【０００４】
また、映像提供センタには、映像信号出力装置の台数や機器番号等を含む管理テーブルが記憶されており、映像提供センタは、リクエストを割り当てて動作させる映像信号出力装置を、この管理テーブルに基づいて決定する構成であったので、故障している映像信号出力装置にリクエストを割り当ててしまうこともあった。
【０００５】
本発明は、上述した問題点を解決するためになされたものであり、映像提供センタにおいて、映像信号出力装置の故障を速やかに検出し、故障中の映像信号出力装置にリクエストが割り当てられる等の不具合を防止すること目的としている。
【０００６】
【課題を解決するための手段】
上記課題を解決するために、請求項１記載の発明においては、映像信号を出力する複数の映像信号出力装置と、端末装置から送出されるリクエストを取得する対端末通信手段と、該リクエストに応じて動作させる前記映像信号出力装置を指定する指定手段とを備える映像提供センタにおいて、前記映像信号出力装置を監視して故障が検出されると故障信号を出力する故障検出手段と、管理者によって操作可能に設けられ、前記故障信号検出手段に擬似的な前記故障信号の出力を指示する疑似信号指示手段とを設けると共に、前記指定手段は、前記故障信号に基づいて故障していない前記映像信号出力装置を認識し、それら故障していない前記映像信号出力装置のいずれかを指定する構成であることを特徴とする。
【０００７】
請求項２記載の映像提供センタは、請求項１記載の映像提供センタにおいて、前記疑似信号指示手段はスイッチによって構成されていることを特徴とする。
請求項３記載の映像提供センタは、請求項１または２記載の映像提供センタにおいて、前記故障検出手段は、前記映像信号出力装置からの映像信号の出力が所定時間以上途絶していることをもって故障の検出とすることを特徴とする。
【０００８】
請求項４記載の映像提供センタは、請求項１ないし３のいずれか記載の映像提供センタにおいて、予め設定された信号取得条件が成立する毎に前記指定手段に前記故障信号の取得を指示する信号取得指示手段を設けたことを特徴とする。
【０００９】
【発明の実施の形態】
上記の構成になる請求項１記載の映像提供センタにおいては、対端末通信手段が、端末装置から送出されるリクエストを取得し、指定手段が、リクエストに応じて動作させる映像信号出力装置を指定する。ここで指定された映像信号出力装置を、例えば映像提供センタ内の処理で自動的に動作させたり、オペレータが操作して動作させたりする。動作した映像信号出力装置が映像信号を出力する。普通、この映像信号は端末装置に送信され、端末装置の映像表示手段は、この映像信号に基づいて映像を表示する。
【００１０】
さらに、この映像提供センタにおいては、故障検出手段は、映像信号出力装置を監視して故障が検出されると故障信号を出力する。そして、指定手段は、故障信号に基づいて故障していない映像信号出力装置を認識し、それら故障していない映像信号出力装置のいずれかを指定する。
【００１１】
従って、映像信号出力装置が故障していれば速やかに検出でき、故障中の映像信号出力装置にリクエストが割り当てられる等の不具合を防止できる。
一方、故障信号検出手段に擬似的な故障信号の出力を指示する疑似信号指示手段が管理者によって操作可能に設けられているので、映像提供センタの管理者が、疑似信号指示手段によって所望の映像信号出力装置に関する故障信号の出力を指示し、故障信号検出手段に故障信号を出力させれば、指定手段が、その映像信号出力装置を指定することはない。
このため、ある映像信号出力装置を対象として擬似的な故障信号の出力を指示してから、この映像信号出力装置をシステムから切り離せば、映像提供センタの動作中であっても何等問題は生じない。したがって、例えば修理や点検を要する映像信号出力装置を、随時、システムから切り離すことができる。
なお、疑似信号指示手段としては、映像信号出力装置に対応して設けられるスイッチ（請求項２の構成）が例示される。
請求項３記載の映像提供センタにおいては、故障検出手段は、映像信号出力装置からの映像信号の出力が所定時間以上途絶していることをもって故障の検出とする。
【００１２】
例えば映像信号出力装置がビデオデッキである場合には、ビデオカセットをインサートして再生を開始させたとしても、リーダー部分には映像が記録されていないから、即座に映像信号が出力されるわけではない。従って、例えば１分〜２分程度にわたって映像信号がないことをもって故障の検出とすれば、誤検出を防ぐことができる。
【００１３】
【００１４】
【００１５】
請求項４記載の映像提供センタにおいては、信号取得指示手段は、予め設定された信号取得条件が成立する毎に、指定手段に故障信号の取得を指示する。信号取得条件の成立としては、例えば定期的なタイミングの到来、指定手段による映像信号出力装置の指定から所定の時間を経過したとき等が例示されるが、これらに限定されるものではない。
【００１６】
ＣＰＵを指定手段として機能させる場合には、信号取得指示手段として例えばタイマを採用し、タイマからの割込み信号がある毎に割込み処理として故障信号の取得を実行させると、ＣＰＵの処理動作に無理がない。この請求項４の構成は、ＣＰＵを指定手段として機能させるのに適している。
【００１７】
【具体例】
次に、本発明の映像提供センタをビデオサービスシステムのセンタとして具体化した具体例により発明の実施の形態を詳しく説明する。
図１に示すように、このビデオサービスシステムは、映像提供センタとしてのセンタ１０と端末装置としての複数の部屋端末２０とを備えている。センタ１０は、例えばホテルのビデオ管理室に設置され、各部屋端末２０はホテルの客室に設置される。また、センタ１０には、管理手段としてのセンタコンピュータ３０が備えられている。
【００１８】
図２に示すように、センタコンピュータ３０は、制御手段であり指定手段として機能するＣＰＵ３２を備えている。このＣＰＵ３２には、データ記憶手段でありＣＰＵ３２のワークエリアとなるＲＡＭ３４、プログラム記憶手段でありＣＰＵ３２の動作プログラム等を格納しているＲＯＭ３６が接続されている。またＣＰＵ３２には、ＣＲＴコントローラ３８、キーボードインタフェース（キーボードＩ／Ｆ）４０、信号取得指示手段としてのタイマ４２、故障検出装置インタフェース（故障検出装置Ｉ／Ｆ）４４および対端末通信手段としてのモデムインタフェース（モデムＩ／Ｆ）４６が接続されている。
【００１９】
ＣＲＴコントローラ３８には表示手段としてのＣＲＴ４８が接続されており、ＣＰＵ３２は、ＣＲＴコントローラ３８にデータ等を送出して、ＣＲＴ４８に文字や図形等を表示させることができる。
キーボードインタフェース４０には、入力手段としてのキーボード５０が接続されており、例えばオペレータは、キーボード５０を操作してＣＰＵ３２に対するコマンドやデータを入力することができる。
【００２０】
タイマ４２は、日付および時刻を算出可能である。このタイマ４２には、割り込み出力回路４２ａが内蔵されていて、所定の間隔で割込み信号を出力することができる。この割込み信号はバスライン５４とは別の信号線５６によってＣＰＵ３２に入力される構成である。
【００２１】
故障検出装置インタフェース４４には、故障検出手段としての故障検出装置６０が接続され、モデムインタフェース４６にはデジタル信号を高周波信号に変調し、また高周波信号をデジタル信号に復調するモデム５８が接続されている。
図１及び図３に示すように、故障検出装置６０には、映像信号出力装置としての複数のビデオデッキ（ＶＴＲ）６２と複数の変調器６４が接続されている。ビデオデッキ６２の台数と変調器６４の台数は同数であり、１台のビデオデッキ６２にはそれと対になる変調器６４が割り当てられている。そして、あるビデオデッキ６２の出力信号は、それと対になる変調器６４に送信される構成である。
【００２２】
ビデオデッキ６２の出力（映像信号と音声信号）は故障検出装置６０を経て変調器６４に入力される構成であり、変調器６４はビデオデッキ６２からの映像信号と音声信号とを、各変調器６４毎に割り当てられているチャンネルの高周波信号に変調して出力する構成である。
【００２３】
また、各ビデオデッキ６２の機器番号、故障しているか否かを示すデータ、再生中か否かを示すデータ等が、センタコンピュータ３０のＲＡＭ３４上の管理テーブルに書き込まれる構成である。なお、この管理テーブルは、キーボード５０を使用して、書換コマンドと書換える内容を入力することによりマニュアルで更新することができる。
【００２４】
図１に示すように、変調器６４は送出手段としてのヘッドアンプ６６に接続されている。またヘッドアンプ６６には、モデム５８も接続されている。ヘッドアンプ６６は、モデム５８および変調器６４から送られてくる高周波信号を周波数多重化して、ヘッドアンプ６６と各部屋端末２０との間を結ぶ同軸ケーブル６８に出力可能であり、同軸ケーブル６８によって搬送されてくる高周波信号をモデム５８に転送可能である。
【００２５】
図３に示すように、故障検出装置６０は、映像信号検出装置７０および故障信号発生装置７２を備えている。映像信号検出装置７０は、同期分離ＩＣ（図示略）を備えており、ビデオデッキ６２から入力され変調器６４に転送される映像信号から、検査用に分流された映像信号に含まれる同期信号を抽出可能であり、同期信号の有無により映像信号の有無を検出することができる。映像信号検出装置７０には、各ビデオデッキ６２からの出力信号がパラレルに入力される構成であり、映像信号検出装置７０は、一定の時間毎に各ビデオデッキ６２からの出力信号を順々に選択して、各ビデオデッキ６２からの映像信号の有無を検出する構成である。なお、各ビデオデッキ６２は常時稼働しているわけではなく、映像信号検出装置７０は稼働しているビデオデッキ６２のみを対象にして映像信号の有無を検出する。また、どのビデオデッキ６２が稼働しているかに関する情報は、センタコンピュータ３０から故障検出装置６０に与えられる構成である。
【００２６】
故障信号発生装置７２は、あるビデオデッキ６２について、映像信号検出装置７０が所定時間、例えば２分以上にわたって映像信号（正確には同期信号）を検出しない場合に、そのビデオデッキ６２が故障していることを示す故障信号を発生する構成である。
【００２７】
また故障信号発生装置７２には、疑似信号指示手段としての疑似故障スイッチ（ＳＷ）７４が接続されている。疑似故障スイッチ７４は、それぞれ１台のビデオデッキ６２と対になっており、故障信号発生装置７２は、疑似故障スイッチ７４がオンされると、その疑似故障スイッチ７４に対応するビデオデッキ６２を対象として故障信号を発生する構成でもある。
【００２８】
図１、図２及び図３に示すように、故障検出装置６０はセンタコンピュータ３０に接続されており、故障信号発生装置７２で発生された故障信号は、センタコンピュータ３０に入力される構成である。
図４に示すように、部屋端末２０は、制御手段としてのＣＰＵ８２を備えている。このＣＰＵ８２には、リクエスト記憶手段でありＣＰＵ８２のワークエリアとなるＲＡＭ８４、ＣＰＵ８２の動作プログラム等を記憶しているプログラム記憶手段としてのＲＯＭ８６が接続され、テレビコントローラ（ＴＶコントローラ）８８、リモコンインタフェース（リモコンＩ／Ｆ）９０および対センタ通信手段としてのモデム９２と映像選択手段としてのチューナ９４とが一体となった通信部９６が接続されている。
【００２９】
通信部９６は同軸ケーブル６８によりセンタ１０のヘッドアンプ６６に接続されており（図１参照）、モデム９２は、同軸ケーブル６８から入力される高周波信号をデジタル信号に復調してＣＰＵ８２に出力でき、ＣＰＵ８２からのデジタル信号を高周波変調して同軸ケーブル６８側に出力できる。こうした構成により、ＣＰＵ８２は、センタコンピュータ３０のＣＰＵ３２との間でデータを送受する等の通信が可能である。チューナ９４は、ＣＰＵ８２によって指示されるチャンネルを選択し、そのチャンネルで同軸ケーブル６８を送られてくる高周波信号を受信し、このチャンネルの高周波信号を復調して得られる映像信号と音声信号とをテレビコントローラ８８に送出することができる。
【００３０】
テレビコントローラ８８は、スーパーインポーズボード８８ａを含んでおり、チューナ９４から送られてくる映像信号と音声信号を、そのままモニタテレビ（ＴＶ）９８に転送する他、ＣＰＵ８２から文字データが送られてきた場合には、この文字データをフォント化し、チューナ９４から送られてくる映像信号にスーパーインポーズしてモニタテレビ９８に出力することや、チューナ９４からの映像信号および音声信号を遮断して、文字フォントだけをモニタテレビ９８に出力することなどが可能である。
【００３１】
映像表示手段としてのモニタテレビ９８は、テレビコントローラ８８から送られてくる映像信号および文字フォントに基づく映像を表示可能であり、テレビコントローラ８８から送られてくる音声信号に基づく音声を出力できる。
リモコンインタフェース９０は、部屋端末２０に付属するリモコン１００からの信号を受けて、そのデータをＣＰＵ８２に送出することができる。リクエスト入力手段としてのリモコン１００は、テンキー、確定キー、取消キー等（いずれも図示略）を備えており、例えばホテルの宿泊客は、このリモコン１００を操作して所望のビデオソフトのリクエスト番号を入力することにより、そのビデオソフトの提供をリクエストができる。
【００３２】
次に、このビデオサービスシステムの動作について説明する。
例えばホテルの宿泊客が、図示しないリクエストリスト等を見て、リモコン１００を操作し、所望のビデオソフトのリクエスト番号を入力すると、部屋端末２０のＣＰＵ８２は、リモコン１００から発信されたリクエスト番号を、リモコンインタフェース９０を介して受信する。ＣＰＵ８２は、そのリクエスト番号をモデム９２を通してセンタコンピュータ３０に送信する。
【００３３】
リクエスト番号は、同軸ケーブル６８によって伝送され、ヘッドアンプ６６からモデム５８を経て、センタコンピュータ３０に入力される。
図５に示すように、センタコンピュータ３０のＣＰＵ３２は、リクエスト番号が送信されてくるのを待っていて、モデムインタフェース４６を介して受信すると（Ｓ１：ＹＥＳ）、ＲＡＭ３４上の管理テーブルを検索して、故障中でなく且つ再生中でないビデオデッキ６２の中から１台のビデオデッキ６２を選定し（Ｓ２）、このビデオデッキ６２の機器番号とＳ１で受信したリクエスト番号とをＣＲＴ４８に表示させる（Ｓ３）。
【００３４】
次に、ＣＰＵ３２は、管理テーブルを更新し（Ｓ４）、Ｓ２で選択したビデオデッキ６２の機器番号を故障検出装置６０に通知する（Ｓ５）。さらに、ＣＰＵ３２は、Ｓ２で選択したビデオデッキ６２と対になる変調器６４に割り当てられているチャンネルを、リクエスト番号を送信してきた部屋端末２０に通知する（Ｓ６）。
【００３５】
センタ１０では、例えばオペレータがＣＲＴ４８に表示されたリクエスト番号で特定されるビデオカセットを、ＣＲＴ４８に表示された機器番号のビデオデッキ６２にインサートして再生を開始させる。
このビデオデッキ６２の再生信号は、故障検出装置６０を経て変調器６４に送られる。変調器６４は、再生信号を高周波変調してヘッドアンプ６６に送出し、ヘッドアンプ６６は、この高周波信号を他の変調器６４等からの高周波信号と周波数多重化して同軸ケーブル６８に送出する。
【００３６】
リクエスト番号を送出した部屋端末２０のＣＰＵ９２は、センタコンピュータ３０からチャンネル番号が送信されてくると、チューナ９４に指示して、そのチャンネルを選択させ、テレビコントローラ８８にチューナ９４からの信号をそのままモニタテレビ９８に転送するように指示する。
【００３７】
チューナ９４は、受信した高周波信号を復調して得られる映像信号と音声信号とをテレビコントローラ８８に送出する。テレビコントローラ８８は、チューナ９４から送られてくる映像信号と音声信号を、そのままモニタテレビ９８に転送する。モニタテレビ９８は、テレビコントローラ８８から送られてくる映像信号に基づく映像を表示し、テレビコントローラ８８から送られてくる音声信号に基づく音声を出力する。これにより、宿泊客は、リクエストしたビデオソフトを楽しむことができる。
【００３８】
一方、故障検出装置６０では、映像信号検出装置７０が、センタコンピュータ３０のＣＰＵ３２から再生中と通知されたビデオデッキ６２からの出力信号を順々に選択して、各ビデオデッキ６２からの映像信号の有無を監視している。そして、映像信号検出装置７０が、あるビデオデッキ６２について２分以上にわたって映像信号を検出しない場合には、故障信号発生装置７２は、そのビデオデッキ６２が故障していることを示す故障信号を発生する。この故障信号は、故障検出装置６０からセンタコンピュータ３０に送出される。
【００３９】
センタコンピュータ３０では、タイマ４２が所定の時間間隔で割込み信号を出力しており、ＣＰＵ３２は、この割込み信号を受けると、図６に示される割込み処理を実行する。図６に示すように、割込み処理では、ＣＰＵ３２は、故障信号が入力されていれば（Ｓ１１：ＹＥＳ）、このビデオデッキ６２が再生中であるか否かを管理テーブルに基づいて判断する（Ｓ１２）。このビデオデッキ６２が再生中（正確には再生を割り当てられている）場合には（Ｓ１２：ＹＥＳ）、このビデオデッキ６２からの映像信号が送られるはずの部屋端末２０に指示して、例えば「機器に故障が生じましたのでしばらくお待ちください。」といったメッセージを表示させる（Ｓ１３）。次に、ＣＰＵ３２は、図５のＳ２と同様に、故障を発見したビデオデッキ６２以外で、再生に使用可能なビデオデッキ６２を選定し（Ｓ１４）、図５のＳ３と同様にＣＲＴ４８に表示させる（Ｓ１５）。さらに、図５のＳ５と同様に、選定したビデオデッキ６２の機器番号を故障検出装置６０に通知し（Ｓ１６）、図５のＳ６と同様に、新たに選定したビデオデッキ６２と対になる変調器６４に割り当てられているチャンネルを部屋端末２０に通知し（Ｓ１７）、図５のＳ４と同様に管理テーブルを更新して（Ｓ１８）、メイン処理に戻る。また、故障信号が入力されているが（Ｓ１１：ＹＥＳ）、このビデオデッキ６２が再生中でない場合には（Ｓ１２：ＮＯ）、管理テーブルを更新して（Ｓ１８）、メイン処理に戻る。あるいは、故障信号が入力されていなければ（Ｓ１１：ＮＯ）、そのままメイン処理に戻る。
【００４０】
このように、ビデオデッキ６２の故障を速やかに検出することができる。また、管理テーブルに故障であることが書き込まれているビデオデッキ６２が再生のために選定されることもない。
なお、このビデオサービスシステムでは、任意のビデオデッキ６２をシステムから分離させて単独で使用したり定期点検を行うために、ビデオデッキ６２をシステムから一時的に切り離す場合がある。このような場合には、切り離そうとするビデオデッキ６２に対応する疑似故障スイッチ７４を操作して、故障信号発生装置７２に故障信号を発生させる。
【００４１】
すると、図６に示される割込み処理において、このビデオデッキ６２について故障信号が入力されているが（Ｓ１１：ＹＥＳ）、再生中ではないので（Ｓ１２：ＮＯ）、管理テーブルの更新（Ｓ１５）だけが実行される。したがって、これ以後、ＣＰＵ３２がこのビデオデッキ６２に再生を割り当てることはなくなる。
【００４２】
単にビデオデッキ６２をシステムから切り離したのでは、センタコンピュータ３０のＣＰＵ３２は、それを認識できないので、切り離されたビデオデッキ６２が再生のために選定される可能性があるが、このように疑似故障スイッチ７４を操作して故障信号を発生させてから切り離せば、切り離されたビデオデッキ６２が再生のために選定されるといった不具合は生じない。
【００４３】
故障修理や点検のためにシステムから切り離したビデオデッキ６２を、システムに復帰させる際には、キーボード５０を使用して、該当のビデオデッキ６２が故障中ではない旨のデータを入力して、管理テーブルをマニュアルで更新すればよい。
【００４４】
以上、具体例に従って、本発明の実施の形態について説明したが、本発明はこのような具体例に限定されるものではなく、本発明の要旨を逸脱しない範囲でさまざまに実施できることは言うまでもない。
例えば、具体例では映像信号出力装置としてビデオデッキを使用しているが、ゲーム機、レーザディスクプレーヤ、コンパクトディスクプレーヤ等を使用することも可能であり、これらを取り混ぜて使用することもできる。提供するソフトとしては、映画等の他にビデオゲーム、カラオケソフト等が例示される。
【００４５】
また、具体例の映像信号検出装置は、一定の時間毎に各ビデオデッキからの出力信号を順々に選択して、各ビデオデッキからの映像信号の有無を検出する構成であるが、映像信号出力装置毎に１台の映像信号検出装置を設けて、専属的に映像信号の有無を検出する構成としてもよい。この場合、映像信号検出装置を各映像信号出力装置の内部に組み込むことや、外付けすることができる。
【００４６】
さらに、具体例では映像信号出力装置の故障を検出するために映像信号が出力されているか否かを判断基準としているが、音声信号も出力する映像信号出力装置の場合には、音声信号の有無を利用することもできる。
【００４７】
【発明の効果】
以上説明したように、請求項１記載の映像提供センタによれば、映像信号出力装置が故障していれば速やかに検出でき、故障中の映像信号出力装置にリクエストが割り当てられる等の不具合を防止できる。
しかも、例えば修理や点検を要する映像信号出力装置は、その疑似信号指示手段を操作して擬似的な故障信号を発生させてから切り離すことで、随時、映像提供センタから切り離すことができる。
【００４８】
請求項２記載の映像提供センタによれば、スイッチ操作によって擬似的な故障信号を発生させることができる。
請求項３記載の映像提供センタによれば、例えば１分〜２分程度にわたって映像信号がないことをもって故障の検出とすれば、誤検出を防ぐことができる。
【００４９】
請求項４の構成は、ＣＰＵを指定手段として機能させるのに適している。
【図面の簡単な説明】
【図１】具体例のビデオサービスシステムの全体構成のブロック図である。
【図２】具体例のビデオサービスシステムのセンタコンピュータのブロック図である。
【図３】具体例のビデオサービスシステムの故障検出装置のブロック図である。
【図４】具体例のビデオサービスシステムの部屋端末のブロック図である。
【図５】具体例のビデオサービスシステムのセンタコンピュータのＣＰＵが実行するメイン処理のフローチャートである。
【図６】具体例のビデオサービスシステムのセンタコンピュータのＣＰＵが実行する割込み処理のフローチャートである。
【符号の説明】
１０・・・センタ（映像提供センタ）、
２０・・・部屋端末（端末装置）、
３０・・・センタコンピュータ、
３２・・・ＣＰＵ（指定手段）、
３４・・・ＲＡＭ、
３６・・・ＲＯＭ、
３８・・・ＣＲＴコントローラ、
４０・・・キーボードインタフェース、
４２・・・タイマ（信号取得指示手段）、
４２ａ・・・割込み出力回路（信号取得指示手段）、
４４・・・故障検出装置インタフェース、
４６・・・モデムインタフェース（対端末通信手段）、
４８・・・ＣＲＴ、
５０・・・キーボード、
５４・・・バスライン、
５６・・・信号線、
５８・・・モデム、
６０・・・故障検出装置（故障検出手段）、
６２・・・ビデオデッキ（映像信号出力装置）、
６４・・・変調器、
６６・・・ヘッドアンプ、
６８・・・同軸ケーブル、
７０・・・映像信号検出装置（故障検出手段）、
７２・・・故障信号発生装置（故障検出手段）、
７４・・・疑似故障スイッチ（疑似信号指示手段）、
８２・・・ＣＰＵ、
８４・・・ＲＡＭ、
８６・・・ＲＯＭ、
８８・・・テレビコントローラ、
８８ａ・・・スーパーインポーズボード、
９０・・・リモコンインタフェース、
９２・・・モデム、
９４・・・チューナ、
９６・・・通信部、
９８・・・モニタテレビ、
１００・・・リモコン。
【図１】
0003624032.tif 000002
【図２】
0003624032.tif 000003
【図３】
0003624032.tif 000004
【図４】
0003624032.tif 000005
【図５】
0003624032.tif 000006
【図６】
0003624032.tif 000007